(57)【要約】【課題】簡素な手順にて２つの燃焼ガスシールをインジェクタに組み付けることのできるインジェクタ用燃焼ガスシールの組み付け方法、及び同組み付け方法に用いて好適な矯正治具を提供する。【解決手段】インジェクタ１０のノズル部１６には、第１の装着溝１８と第２の装着溝２０とが形成される。それら装着溝１８，２０には燃焼ガスシール２４，２６が各別に組み付けられる。その組み付けに際しては先ず、第１の装着溝１８に燃焼ガスシール２４を圧入し、その後、矯正治具３０を上方に移動させて、燃焼ガスシール２４の外径を矯正する。その矯正中に、燃焼ガスシール２６を圧入するとともに、矯正治具３０の上部で受け止めて第２の装着溝２０に位置決めする。その後、矯正治具３０を更に上方に移動させて燃焼ガスシール２６の外径を矯正する。【選択図】      図１１
2005163561.tif 000002
【特許請求の範囲】
【請求項１】
インジェクタのノズル部に形成された環状の第１の装着溝、及び同ノズル部の前記第１の装着溝よりもノズル先端側に形成された環状の第２の装着溝のそれぞれにインジェクタ取付孔と前記ノズル部との間の環状隙間をシールする樹脂製のインジェクタ用燃焼ガスシールを組み付ける方法であって、
前記インジェクタのノズル先端側から前記第１の装着溝に前記燃焼ガスシールの１つを圧入した後、同インジェクタに対して矯正治具をインジェクタ本体側からノズル先端側へと相対移動させることにより前記第１の装着溝に装着される燃焼ガスシールの外径を矯正する第１の工程と、
前記第１の工程での矯正中に、前記インジェクタのノズル先端側から前記燃焼ガスシールの１つを圧入するとともに、該圧入した燃焼ガスシールを前記矯正治具のノズル先端側の一部を用いて前記第２の装着溝に位置決めする第２の工程と、
その後、前記インジェクタに対して前記矯正治具をノズル先端側へと更に相対移動させることにより前記第２の装着溝に装着される燃焼ガスシールの外径を矯正する第３の工程と
を備えることを特徴とするインジェクタ用燃焼ガスシールの組み付け方法。
【請求項２】
前記第１の工程での矯正中、前記インジェクタに対する矯正治具の相対移動を一時的に停止させて、前記第２の工程での前記第２の装着溝に対する前記燃焼ガスシールの位置決めを行う
請求項１に記載のインジェクタ用燃焼ガスシールの組み付け方法。
【請求項３】
インジェクタのノズル部に形成された環状の第１の装着溝、及び同ノズル部の前記第１の装着溝よりもノズル先端側に形成された環状の第２の装着溝のそれぞれにインジェクタ取付孔と前記ノズル部との間の環状隙間をシールする樹脂製のインジェクタ用燃焼ガスシールを組み付けるに際して用いられ、前記インジェクタのノズル先端側から前記第１の装着溝に前記燃焼ガスシールの１つを圧入した後、同インジェクタに対してインジェクタ本体側からノズル先端側へと相対移動させられて前記第１の装着溝に装着される燃焼ガスシールの外径を矯正する矯正治具であって、
前記矯正中に前記インジェクタのノズル先端側から前記燃焼ガスシールの１つが圧入された際、該圧入された燃焼ガスシールを前記第２の装着溝に対応する位置で受け止めるように前記矯正する面の長さ及び形状が設定されてなる
ことを特徴とする矯正治具。
【請求項４】
前記矯正する面の前記インジェクタに対してノズル先端側にあたる部分には、前記第１の装着溝に装着される燃焼ガスシールのインジェクタ先端側への移動を案内するテーパ面が設けられてなり、このテーパ面にて前記第２の装着溝に装着されるべく圧入された燃焼ガスシールを受け止める
請求項３に記載の矯正治具。
【請求項５】
前記テーパ面のテーパ角が１０°以上で且つ、２０°未満に設定されてなる
請求項４に記載の矯正治具。
【請求項６】
前記テーパ面のテーパ角が１０°に設定されてなる
請求項４に記載の矯正治具。
【発明の詳細な説明】
【技術分野】
【０００１】
本発明は、インジェクタのノズル部に設けられた２つの環状の装着溝に各別に装着されてインジェクタ取付孔とインジェクタとの間の環状隙間をシールするインジェクタ用燃焼ガスシールの組み付け方法、及びその装着に際して拡径された燃焼ガスシールの矯正に用いる矯正治具に関するものである。
【背景技術】
【０００２】
従来、１つのインジェクタ用燃焼ガスシールについてではあるが、この種の燃焼ガスシールの組み付け方法としては、例えば特許文献１に記載の方法が知られている。この組み付け方法では、上記インジェクタのノズル部に設けられた環状の装着溝への燃焼ガスシールの組み付けが、以下の手順を通じて行われる。
＜手順Ａ＞：先ず、インジェクタの上記装着溝よりもインジェクタ本体側に円筒形状の矯正治具が装着される。
＜手順Ｂ＞：次に、燃焼ガスシールが上記装着溝に圧入される。
＜手順Ｃ＞：その後、インジェクタに対して矯正治具がノズル先端側に相対移動される。これにより、同矯正治具の内周面によって燃焼ガスシールの外周面が押圧され、上記圧入に伴い拡径された外径が矯正される。
【特許文献１】特開２００２−３６４４９４号公報
【特許文献２】特開平１１−２９４３０２号公報
【発明の開示】
【発明が解決しようとする課題】
【０００３】
ところで近年は、上記インジェクタとしてのシール性能の更なる向上を図るべく、そのノズル部に適宜の間隔をおいて２つの装着溝を設け、それら２つの環状溝にそれぞれ上記燃焼ガスシールを装着するようにしたインジェクタがある（例えば特許文献２参照）。しかし、それら燃焼ガスシールの組み付けに際して、単に上述した特許文献１に記載の組み付け方法を適用すると、上記＜手順Ａ＞〜＜手順Ｃ＞の作業を繰り返し行う必要があり、その組み付け作業の煩雑化が避けられないものとなる。
【０００４】
本発明は、こうした実情に鑑みてなされたものであり、その目的は、簡素な手順にて速やかに２つの燃焼ガスシールをインジェクタに組み付けることのできるインジェクタ用燃焼ガスシールの組み付け方法、及び同組み付け方法に用いて好適な矯正治具を提供することにある。
【課題を解決するための手段】
【０００５】
以下、上記目的を達成するための手段及びその作用効果について記載する。
先ず、請求項１に記載の発明は、インジェクタのノズル部に形成された環状の第１の装着溝、及び同ノズル部の前記第１の装着溝よりもノズル先端側に形成された環状の第２の装着溝のそれぞれにインジェクタ取付孔と前記ノズル部との間の環状隙間をシールする樹脂製のインジェクタ用燃焼ガスシールを組み付ける方法であって、前記インジェクタのノズル先端側から前記第１の装着溝に前記燃焼ガスシールの１つを圧入した後、同インジェクタに対して矯正治具をインジェクタ本体側からノズル先端側へと相対移動させることにより前記第１の装着溝に装着される燃焼ガスシールの外径を矯正する第１の工程と、前記第１の工程での矯正中に、前記インジェクタのノズル先端側から前記燃焼ガスシールの１つを圧入するとともに、該圧入した燃焼ガスシールを前記矯正治具のノズル先端側の一部を用いて前記第２の装着溝に位置決めする第２の工程と、その後、前記インジェクタに対して前記矯正治具をノズル先端側へと更に相対移動させることにより前記第２の装着溝に装着される燃焼ガスシールの外径を矯正する第３の工程とを備えることをその要旨とする。
【０００６】
上記組み付け方法によれば、矯正治具をインジェクタに対してそのノズル先端側へ一回だけ相対移動させることにより、第１の装着溝及び第２の装着溝のそれぞれに装着される燃焼ガスシールの外径を矯正することができ、外径矯正にかかる工程を簡素化することができる。しかも、第１の装着溝に装着される燃焼ガスシールの矯正中に、第２の装着溝に装着される燃焼ガスシールを圧入するとともにその位置決めを行うことができ、組み付けにかかる総時間の好適な短縮を図ることができる。したがって、簡素な手順にて速やかに２つの燃焼ガスシールをインジェクタに組み付けることができるようになる。
【０００７】
また、請求項２に記載の発明は、請求項１に記載のインジェクタ用燃焼ガスシールの組み付け方法において、前記第１の工程での矯正中、前記インジェクタに対する矯正治具の相対移動を一時的に停止させて、前記第２の工程での前記第２の装着溝に対する前記燃焼ガスシールの位置決めを行うことをその要旨とする。
【０００８】
通常、燃焼ガスシールの外径矯正に際しては、矯正治具の相対移動が一時的に停止されることによって十分な矯正時間が確保され、その矯正も適正になされる。この点、上記組み付け方法によれば、そうした矯正治具の相対移動を一時的に停止する時間を利用して、上記第１の工程での矯正、並びに上記第２の工程での燃焼ガスシールの位置決め、第２の装着溝への装着を行うことができるようになる。このため、燃焼ガスシールの圧入速度や圧入タイミング、矯正治具の移動速度を設定する等といった煩雑な作業を伴うことなく、燃焼ガスシールの矯正や位置決めを行うことができ、その装着を比較的簡易に且つ精度良く行うことができるようになる。
【０００９】
また、請求項３に記載の発明は、インジェクタのノズル部に形成された環状の第１の装着溝、及び同ノズル部の前記第１の装着溝よりもノズル先端側に形成された環状の第２の装着溝のそれぞれにインジェクタ取付孔と前記ノズル部との間の環状隙間をシールする樹脂製のインジェクタ用燃焼ガスシールを組み付けるに際して用いられ、前記インジェクタのノズル先端側から前記第１の装着溝に前記燃焼ガスシールの１つを圧入した後、同インジェクタに対してインジェクタ本体側からノズル先端側へと相対移動させられて前記第１の装着溝に装着される燃焼ガスシールの外径を矯正する矯正治具であって、前記矯正中に前記インジェクタのノズル先端側から前記燃焼ガスシールの１つが圧入された際、該圧入された燃焼ガスシールを前記第２の装着溝に対応する位置で受け止めるように前記矯正する面の長さ及び形状が設定されてなることをその要旨とする。
【００１０】
矯正治具としての上記構造によれば、矯正治具によって第１の装着溝に装着される燃焼ガスシールの外径を矯正する際に、同矯正治具によって第２の装着溝に装着される燃焼ガスシールを位置決めしつつ受け止めることができる。そして、その後において、矯正治具をインジェクタに対してノズル先端側へと更に相対移動させることによって、第２の装着溝に装着される燃焼ガスシールの外径を矯正することができる。したがって、第１の装着溝に装着される燃焼ガスシールの外径矯正や、第２の装着溝に装着される燃焼ガスシールの位置決め、更には同燃焼ガスシールの外径矯正といった各工程を、矯正治具をインジェクタに対してそのノズル先端側へ一回だけ相対移動させる一連の工程として行うことができるようになる。このため、簡素な手順にて速やかに２つの燃焼ガスシールをインジェクタに組み付けることができるようになる。
【００１１】
また、請求項４に記載の発明は、請求項３に記載の矯正治具において、前記矯正する面の前記インジェクタに対してノズル先端側にあたる部分には、前記第１の装着溝に装着される燃焼ガスシールのインジェクタ先端側への移動を案内するテーパ面が設けられてなり、このテーパ面にて前記第２の装着溝に装着されるべく圧入された燃焼ガスシールを受け止めることをその要旨とする。
【００１２】
矯正治具としての上記構造によれば、第１の装着溝に装着される燃焼ガスシールを上記テーパ面にて受け止めた後に、同燃焼ガスシールを矯正しつつノズル先端側へと速やかに移動させることができる。しかも、第２の装着溝に装着される燃焼ガスシールを受け止めた後に、同燃焼ガスシールを矯正する工程へと速やかに移行させることもできる。したがって、２つの燃焼ガスシールをより速やかにインジェクタに組み付けることができるようになる。
【００１３】
ここで、上記テーパ面は、環状に形成される燃焼ガスシールの中心とインジェクタの軸心とを一致させるように同燃焼ガスシールを位置決めするためには、そのテーパ角も大きい方が好ましい。反面、このテーパ角が大きくなると、上記テーパ面による矯正度合いも大きくなるために、例えば燃焼ガスシールに意図しない変形が生じるなどしてその矯正を適切に行えなくなるおそれがある。この点に関し、発明者が種々の実験を行った結果、上記テーパ角を１０°以上２０°未満に設定することにより、また好ましくは１０°に設定することにより、燃焼ガスシールの位置決め精度の低下抑制と同燃焼ガスシールの不要な変形の抑制との好適な両立が図られることが確認された。
【００１４】
したがって、上記テーパ面のテーパ角を１０°以上２０°未満に設定する請求項５に記載の構造によれば、燃焼ガスシールの矯正を上述の態様で適切に行うことができるようになる。
【００１５】
また特に、請求項６に記載の構造によるように、上記テーパ面のテーパ角を１０°に設定することにより、燃焼ガスシールの外径矯正をより適切に行うことができるようになる。
【発明を実施するための最良の形態】
【００１６】
以下、本発明にかかるインジェクタ用燃焼ガスシールの組み付け方法及び矯正治具を具体化した一実施の形態について説明する。
ここでは先ず、本実施の形態にかかる組み付け方法及び矯正治具が適用されるインジェクタについて説明する。
【００１７】
図１は、このインジェクタ及びその周辺構造を示している。
同図１に示すように、インジェクタ１０は、内燃機関１２に形成されたインジェクタ取付孔１４に挿設されている。インジェクタ１０のノズル部１６には、その円周方向全周に渡って環状に延びる第１の装着溝１８と同第１の装着溝１８よりもノズル先端側において同じく環状に延びる第２の装着溝２０とが形成されている。なお、第１の装着溝１８のインジェクタ本体側（図中上方）の部分には、インジェクタ本体側に向かうほど拡径された形状の傾斜面２２が形成されている。
【００１８】
一方、インジェクタ１０の上記第１の装着溝１８には環状の燃焼ガスシール２４が、また第２の装着溝２０には同じく環状の燃焼ガスシール２６がそれぞれ組み付けられる。それら燃焼ガスシール２４，２６によって上記インジェクタ取付孔１４とノズル部１６との間の環状隙間がシールされ、同隙間を通じた燃焼室内からの燃焼ガスの漏れ防止が図られる。ちなみに、各燃焼ガスシール２４，２６の材料としては、フッ素樹脂の一種であるＰＴＦＥ（四フッ化エチレン）、ガラス等の充填剤入りＰＴＦＥ、エストラマー等を用いることができる。
【００１９】
なお、図１において、上記各装着溝１８，２０の深さや各燃焼ガスシール２４，２６の厚さ等は、その理解を容易にするために誇張して図示している。
次に、上記各燃焼ガスシール２４，２６をインジェクタ１０に組み付ける際の手順について説明する。
【００２０】
この組み付けは、上記ノズル部１６が重力方向上方になるように支持されたインジェクタ１０に対して、図２に示すステップＡ〜ステップＩの手順を通じて行われる。
以下、それらステップＡ〜ステップＩについて、図３〜図１３を併せ参照しつつ詳細に説明する。なお、これら図３〜図１３においても、先の図１と同様に、各装着溝１８，２０の深さや各燃焼ガスシール２４，２６の厚さ等についてはこれを誇張して図示している。また、これに対応して、上記組み付けに際して用いられる後述する矯正治具や各圧入治具、押し付け治具についてもその形状を誇張して図示している。
＜ステップＡ：図３＞
この組み付けに際しては先ず、図３に示すように、インジェクタ１０に矯正治具３０が装着される。
【００２１】
矯正治具３０には、その軸方向に断面円形状で延びる貫通孔が設けられている。そして、その貫通孔にインジェクタ１０のノズル部１６が挿入されることによって、矯正治具３０がインジェクタ１０に装着される。本実施の形態では、この貫通孔の内周面が上述した燃焼ガスシール２４，２６の外径を矯正する面（以下、矯正面３２）として機能する。
【００２２】
この矯正治具３０は、基本的に、燃焼ガスシール２４，２６の装着に際して、一旦拡径される燃焼ガスシール２４，２６の外径を矯正するためのものである。詳しくは、図４にこの矯正治具３０のみを別途示すように、上記矯正面３２にあって、そのノズル先端側の部分には、ノズル先端側に向かうほど徐々に拡径されたテーパ形状をなすテーパ面３４が設けられている。そしてこの実施の形態において、このテーパ面３４のテーパ角αは「１０°」に設定されている。そのように設定した理由については後述する。一方、上記矯正面３２のインジェクタ本体側の部分は、その断面形状が同一径を有して円形状に延びる円筒面３６により構成されている。そして、この矯正治具３０は、後に図７や図９、図１１、図１２を参照して詳述するように、そのテーパ面３４によって燃焼ガスシール２４，２６の外径を徐々に縮径し、更にはその円筒面３６によって、当該外径を所望の径に矯正する。
＜ステップＢ：図５＞
次に、図５に示すように、インジェクタ１０に第１の圧入治具４０が取り付けられる。
【００２３】
この第１の圧入治具４０は、上記第１の装着溝１８に燃焼ガスシール２４を圧入するためのものであり、図６に示すように、その上部は円錐形状に形成され、その下部は円筒形状に形成されている。なお、第１の圧入治具４０は、インジェクタ１０のノズル先端側に被せられた状態（図５に示す状態）で、同インジェクタ１０のノズル先端側から上記第１の装着溝１８までの部分を覆う形状に形成されている。
＜ステップＣ：図７＞
次に、上記第１の装着溝１８に燃焼ガスシール２４が圧入される。
【００２４】
具体的には先ず、図７に示すように、第１の圧入治具４０の上部に燃焼ガスシール２４（同図中に一点鎖線で示す）が載置された後、押し付け治具４２を用いて燃焼ガスシール２４が下方に押し付けられる。これにより、燃焼ガスシール２４が第１の圧入治具４０によって拡径されつつ圧入され、第１の装着溝１８に装着される。
【００２５】
なお、上記押し付け治具４２は、図８に示すように、略半円筒形状をなす２つの分割体によって構成されている。そして、それら分割体ははじめ、図８（ａ）に示すように有蓋円筒形状をなすように互いに合わせられた状態で、合成ゴム等により形成された弾性部材４６によって当接されている。また、この押し付け治具４２は、上記押し付けの過程においてその内面に力が加わると、図８（ｂ）に示すように、上記弾性部材４６の弾性変形（伸長）によって各分割体の合わせ面が開くようになる。他方、この押し付け治具４２の上部には案内孔４４が形成されている。そして、押し付け治具４２を第１の圧入治具４０に装着（載置）する際、並びに同押し付け治具４２によって燃焼ガスシール２４を押し付ける際の初期には、第１の圧入治具４０の上部に突設された案内棒４０ａ（図６）が上記案内孔４４に挿入されることにより、同押し付け治具４２のインジェクタ軸方向への移動が案内される。
【００２６】
こうして圧入された燃焼ガスシール２４は、その後、自身の弾性復元力によって縮径しながら下方に落ち、図７に実線で示すように、矯正治具３０の上記テーパ面３４によって受け止められる。本実施の形態では、このときインジェクタ１０の前記傾斜面２２に燃焼ガスシール２４が掛からない（乗り上げない）ように、上記矯正治具３０の形状、寸法が設定されている。これは燃焼ガスシール２４が傾斜面２２に掛かると、燃焼ガスシール２４の復元が傾斜面２２によって妨げられて、その形状が同傾斜面２２にならった形状になり、これが矯正前における燃焼ガスシール２４の形状ばらつきを招き、ひいては矯正精度自体を低下させる要因となることから、これを防止するためである。
＜ステップＤ：図９＞
次に、上記矯正治具３０が上方に移動される。
【００２７】
このとき、上記燃焼ガスシール２４は、矯正治具３０のテーパ面３４及び円筒面３６により、図９に示す位置まで案内されるとともに、その後は、同矯正治具３０の円筒面３６により第１の装着溝１８の底部に向けて押圧されてその外径が矯正される。なお、本実施の形態では、このステップＤにかかる工程が、インジェクタ１０に対して矯正治具３０をインジェクタ本体側からノズル先端側へと相対移動させる第１の工程に相当する。
【００２８】
ここで、この外径矯正を精度良く行うためには、環状に形成される燃焼ガスシール２４の中心とインジェクタ１０の軸心とを一致させることが好ましい。そうした燃焼ガスシール２４の位置決めを行うためには、矯正治具３０の上記テーパ面３４のテーパ角α（図４）を大きくした方がよい。しかし、このテーパ角αが大きくなると、同テーパ面３４による矯正度合いも大きくなるために、燃焼ガスシール２４に意図しない変形が生じるなどして、その外径矯正を適切に行えなくなるおそれがある。この点に関して、発明者が種々の実験を行った結果、上記テーパ角αを１０°以上２０°未満に設定することにより、また好ましくは１０°に設定することにより、燃焼ガスシール２４の位置決め精度の低下抑制と同燃焼ガスシール２４の不要な変形の抑制との好適な両立が可能になることが確認された。そこで、本実施の形態では、このテーパ面３４のテーパ角αを、前述のごとく「１０°」に設定している。これにより、燃焼ガスシール２４の外径矯正が適切に行われるようになる。なお、同様の理由により、後述する燃焼ガスシール２６の外径矯正についてもこれが適切に行われるようになる。
＜ステップＥ：図９＞
そして、上記矯正治具３０の円筒面３６による燃焼ガスシール２４の外径矯正の途中において、矯正治具３０の移動が一時的に停止される。
【００２９】
これにより、十分な矯正時間が確保されて、燃焼ガスシール２４の外径矯正が適正になされる。
＜ステップＦ：図９＞
また、そうした矯正治具３０の移動の一時停止時に、図９に示すように、インジェクタ１０のノズル先端側に第２の圧入治具４８が取り付けられる。
【００３０】
この第２の圧入治具４８は、図１０に示すように、上記第１の圧入治具４０（図６参照）と基本的に同じ構造のものである。ただし、第２の圧入治具４８は、燃焼ガスシール２６の圧入に際して、同燃焼ガスシール２６を第２の装着溝２０まで案内するためのものであり、図６に示した第１の圧入治具４０と比べて、その下部の円筒形状に形成された部分の軸方向の長さが短く設定されている。
＜ステップＧ：図１１＞
次に、図１１に示すように、第２の圧入治具４８及び前記押し付け治具４２を用いて、燃焼ガスシール２６が拡径されつつ圧入され、第２の装着溝２０に装着される。
【００３１】
こうして圧入された燃焼ガスシール２６についても、上述した燃焼ガスシール２４と同様に、その後において自身の弾性復元力によって縮径しながら下方に落ち、矯正治具３０の上記テーパ面３４によって受け止められる。本実施の形態にかかる矯正治具３０にあって、テーパ面３４を含む矯正面３２の長さや形状は、上記燃焼ガスシール２６が圧入された際に、同燃焼ガスシール２６が第２の装着溝２０に対応する位置で受け止められるように設定されている。なお、本実施の形態では、このステップＧにかかる工程が、前記第１の工程での矯正中に、インジェクタ１０のノズル先端側から燃焼ガスシール２６を圧入するとともに、該圧入した燃焼ガスシール２６を矯正治具３０のノズル先端側の一部を用いて第２の装着溝２０に位置決めする第２の工程に相当する。
【００３２】
このように、本実施の形態では、第１の装着溝１８に装着される燃焼ガスシール２４の外径矯正を行いつつ、第２の装着溝２０に装着される燃焼ガスシール２６の位置決めが行われる。これにより、それら工程を各別に行う場合と比べて、各燃焼ガスシール２４，２６の組み付けを簡素な手順をもって速やかに行うことができるようになる。
【００３３】
また特に、本実施の形態では、そうした第２の装着溝２０への燃焼ガスシール２６の装着が矯正治具３０の移動停止時に行われる。このため、燃焼ガスシール２６の圧入速度や矯正治具３０の移動速度を設定する等といった煩雑な作業を行うことなく、同燃焼ガスシール２６の位置決めを行うことができるようになる。
＜ステップＨ：図１２＞
次に、図１２に示すように、矯正治具３０の移動が再開され、同矯正治具３０が更に上方に移動される。
【００３４】
これにより、矯正治具３０の上記矯正面３２による燃焼ガスシール２６の外径矯正が行われる。なお、本実施の形態では、このステップＨにかかる工程が、インジェクタ１０に対して矯正治具３０をノズル先端側へと更に相対移動させることにより第２の装着溝２０に装着される燃焼ガスシール２６の外径を矯正する第３の工程に相当する。
＜ステップＩ：図１３＞
その後、矯正治具３０が更に上方に移動されてインジェクタ１０から脱却され、図１３に示される態様で、インジェクタ１０の第２の装着溝２０に対する燃焼ガスシール２４，２６の組み付けが完了される。
【００３５】
このように、本実施の形態にかかる組み付け方法によれば、矯正治具３０をインジェクタ１０に対してそのノズル先端側へ一回だけ相対移動させることにより、第１の装着溝１８及び第２の装着溝２０のそれぞれに装着される燃焼ガスシール２４，２６の外径を矯正することができる。このため、各燃焼ガスシール２４，２６の外径矯正を各別に行う場合と比較して、その矯正にかかる手順を簡素化することができる。
【００３６】
以上説明したように、本実施の形態によれば、以下に記載する効果が得られるようになる。
（１）燃焼ガスシール２４，２６の外径矯正にかかる工程を簡素化することができる。しかも、第１の装着溝１８に装着される燃焼ガスシール２４の矯正中に、第２の装着溝２０に装着される燃焼ガスシール２６を圧入するとともにその位置決めを行うことができ、組み付けにかかる総時間の好適な短縮を図ることができる。したがって、簡素な手順をもって速やかに２つの燃焼ガスシール２４，２６をインジェクタ１０に組み付けることができるようになる。
【００３７】
（２）また、矯正治具３０の上方への移動が一時的に停止されたときに燃焼ガスシール２６を第２の装着溝２０に装着するようにしたために、燃焼ガスシール２６の圧入速度や矯正治具３０の移動速度を設定する等といった煩雑な作業を伴うことなく、同燃焼ガスシール２６の位置決めを行うことができるようになる。したがって、その装着を比較的簡易に且つ精度良く行うことができるようになる。
【００３８】
（３）第１の装着溝１８に装着される燃焼ガスシール２４の矯正中において、上記圧入された後の燃焼ガスシール２６が第２の装着溝２０に対応する位置で受け止められるように、矯正面３２の長さ（寸法）及び形状を設定した。このため、燃焼ガスシール２４の外径矯正や、燃焼ガスシール２６の位置決め、更には同燃焼ガスシール２６の外径矯正といった各工程を、矯正治具３０をインジェクタ１０に対してそのノズル先端側へ一回だけ相対移動させる間における一連の工程として行うことができるようになる。これにより、ひいては各燃焼ガスシール２４，２６の組み付けをより速やかに行うことができるようになる。
【００３９】
（４）矯正面３２の上記インジェクタ１０に対してノズル先端側にあたる部分に、第１の装着溝１８に装着される燃焼ガスシール２４のインジェクタ先端側への移動を案内するテーパ面３４を設け、このテーパ面３４にて第２の装着溝２０に装着されるべく圧入された燃焼ガスシール２６を受け止めるようにした。このため、テーパ面３４によって燃焼ガスシール２４を受け止めた後、同燃焼ガスシール２４を矯正しつつノズル先端側に速やかに移動させることができる。しかも、テーパ面３４によって第２の装着溝２０に装着される燃焼ガスシール２６を受け止めた後に、同燃焼ガスシール２６を矯正する手順へと速やかに移行させることもできる。したがって、２つの燃焼ガスシール２４，２６をより速やかにインジェクタ１０に組み付けることができるようになる。
【００４０】
（５）矯正治具３０のテーパ面３４のテーパ角αを「１０°」に設定したために、燃焼ガスシール２４，２６の外径矯正を適切に行うことができるようになる。
なお、上記実施の形態は、以下のように変更して実施してもよい。
【００４１】
・上記実施の形態では、燃焼ガスシール２４の移動及び外径矯正、並びに燃焼ガスシール２６の位置決め及び外径矯正を行うべく、矯正治具３０を上方に移動させるようにしたが、これに代えて、若しくはこれに併せて、インジェクタ１０を下方に移動させるようにしてもよい。要は、インジェクタ１０に対して矯正治具３０がインジェクタ本体側からノズル先端側へと相対移動されるように、インジェクタ１０や矯正治具３０を移動させればよい。
【００４２】
・上記実施の形態では、燃焼ガスシール２４，２６の組み付けを、ノズル先端部が重力方向上方になるように支持されたインジェクタ１０に対して行うようにした。その支持態様は、第１の圧入治具４０や第２の圧入治具４８の装着にかかる手順や、燃焼ガスシール２４，２６の圧入にかかる手順等といったインジェクタ１０への燃焼ガスシール２４，２６の組み付けにかかる各手順を妨げない範囲で、適宜変更可能である。
【００４３】
・上記実施の形態では、第１の装着溝１８に圧入された燃焼ガスシール２４の外径矯正に際して、矯正治具３０の移動を一時的に停止するようにした。燃焼ガスシール２４の外径矯正を適切に行うことができるのであれば、矯正治具３０を一時的に停止せずに連続移動させるようにしてもよい。この場合には、第２の装着溝２０に燃焼ガスシール２６を的確に装着可能なように、矯正治具３０の移動速度や、燃焼ガスシール２６の圧入タイミング、圧入速度等を設定すればよい。
【００４４】
・矯正治具３０のテーパ面３４のテーパ角αは、１０°以上且つ２０°未満の範囲であれば、適宜変更可能である。
・矯正面３２の長さや形状も、燃焼ガスシール２４の矯正や、燃焼ガスシール２６の位置決め及び外径矯正を適正に行うことが可能であれば、適宜変更可能である。
【００４５】
・上記実施の形態では、圧入後の燃焼ガスシール２４，２６を矯正治具３０のテーパ面３４で受け止めるようにしたが、矯正治具３０の上面で燃焼ガスシール２４，２６を受け止めることも可能である。要は、矯正治具３０の一部で圧入後の燃焼ガスシール２４，２６を受け止めることができればよい。
【図面の簡単な説明】
【００４６】
【図１】本発明にかかる燃焼ガスシールの組み付け方法及び矯正治具の一実施の形態が適用されるインジェクタ及びその周辺構造を示す部分断面図。
【図２】同実施の形態にかかる燃焼ガスシールの組み付け手順を示すフローチャート。
【図３】同実施の形態にかかる燃焼ガスシールの組み付け工程を示す部分断面図。
【図４】同実施の形態にかかる矯正治具の側面断面構造を示す側面断面図。
【図５】同実施の形態にかかる燃焼ガスシールの組み付け工程を示す部分断面図。
【図６】同実施の形態に用いられる第１の圧入治具の側面構造を示す側面図。
【図７】同実施の形態にかかる燃焼ガスシールの組み付け工程を示す部分断面図。
【図８】（ａ）、（ｂ）は、同実施の形態に用いられる押し付け治具の側面構造を示す側面図。
【図９】同実施の形態にかかる燃焼ガスシールの組み付け工程を示す部分断面図。
【図１０】同実施の形態に用いられる第２の圧入治具の側面構造を示す側面図。
【図１１】同実施の形態にかかる燃焼ガスシールの組み付け工程を示す部分断面図。
【図１２】同実施の形態にかかる燃焼ガスシールの組み付け工程を示す部分断面図。
【図１３】同実施の形態によって燃焼ガスシールが組み付けられたインジェクタの側面構造を示す側面図。
【符号の説明】
【００４７】
１０…インジェクタ、１２…内燃機関、１４…インジェクタ取付孔、１６…ノズル部、１８…第１の装着溝、２０…第２の装着溝、２２…傾斜面、２４，２６…燃焼ガスシール、３０…矯正治具、３２…矯正面、３４…テーパ面、３６…円筒面、４０…第１の圧入治具、４０ａ…案内棒、４２…押し付け治具、４４…案内孔、４６…弾性部材、４８…第２の圧入治具。
【図１】
2005163561.tif 000003
【図２】
2005163561.tif 000004
【図３】
2005163561.tif 000005
【図４】
2005163561.tif 000006
【図５】
2005163561.tif 000007
【図６】
2005163561.tif 000008
【図７】
2005163561.tif 000009
【図８】
2005163561.tif 000010
【図９】
2005163561.tif 000011
【図１０】
2005163561.tif 000012
【図１１】
2005163561.tif 000013
【図１２】
2005163561.tif 000014
【図１３】
2005163561.tif 000015